(57)【要約】【課題】米を研米して無洗米を作る研米器において、研米終了後の米受け内に余裕があるときは、米受け内の米を取り出さなくても引き続き研米運転を行うことができるようにする。【解決手段】米を研米する研米手段２により研米した米量をカウント手段７によりカウントし、研米手段２により研米した米を貯める米受け３のセット状態を米受け検知手段５により検知し、研米する米容量の設定を行う操作・表示部４の動作を制御手段６により制御する。制御手段６は、カウント手段７にてカウントした前回の研米容量が米受け３の最大容量に満たないとき、米受け検知手段５により検知した米受け３のセット状態に変化がなくても次回の研米開始を受け付けるよう構成する。【選択図】  図１
2004154667.tif 000002
【特許請求の範囲】
【請求項１】
米を研米する研米手段と、前記研米手段により研米した米量をカウントするカウント手段と、前記研米手段により研米した米を貯める米受けと、前記米受けのセット状態を検知する米受け検知手段と、研米する米容量の設定を行う操作・表示部と、前記操作・表示部の動作を制御する制御手段とを備え、前記制御手段は、前記カウント手段にてカウントした前回の研米容量が前記米受けの最大容量に満たないとき、前記米受け検知手段により検知した前記米受けのセット状態に変化がなくても次回の研米開始を受け付けるよう構成した研米器。
【請求項２】
制御手段は、カウント手段にてカウントした前回の研米容量と操作・表示部により設定した次回の研米容量との合計容量が米受けの最大容量を越えるとき、次回の研米開始を受け付けないよう前記操作・表示部の動作を制御するよう構成した請求項１記載の研米器。
【請求項３】
制御手段は、カウント手段にてカウントした前回の研米容量と操作・表示部により設定した次回の研米容量との合計容量が米受けの最大容量を越えるとき、操作・表示部にて研米開始を受け付けるとエラー報知またはエラー表示を行うよう構成した請求項１または２記載の研米器。
【請求項４】
制御手段は、カウント手段にてカウントした前回の研米容量と操作・表示部により設定した次回の研米容量との合計容量が米受けの最大容量を越えるとき、操作・表示部にて研米開始を受け付けると、前回の研米容量と次回の研米容量との合計容量が米受けの最大容量となるよう次回の研米容量の設定を変更するよう構成した請求項２または３記載の研米器。
【請求項５】
制御手段は、カウント手段にてカウントした前回の研米容量を次回の研米容量の初期値として設定し、前回の研米容量と次回の研米容量との合計容量が米受けの最大容量を越えるとき、合計容量が米受けの最大容量となるように次回の研米容量の初期値を設定するよう構成した請求項１記載の研米器。
【請求項６】
制御手段は、米受け検知手段により米受けが引き出されたことを検知すると、次回の研米容量の設定を前回の研米容量に変更するよう構成した請求項５記載の研米器。
【請求項７】
制御手段は、米受け検知手段により米受けが引き出されたことを検知する前に操作・表示部により次回の研米容量の設定がされていたとき、次回の研米容量の設定を前回の研米容量に変更しないよう構成した請求項６記載の研米器。
【請求項８】
制御手段は、カウント手段にてカウントした前回の研米容量と操作・表示部にて設定する次回の研米容量との合計容量が米受けの最大容量を超えないような範囲でのみ次回の研米容量を指定できるよう操作・表示部の動作を制御するよう構成した請求項１記載の研米器。
【請求項９】
制御手段は、研米終了時に米受け検知手段が最後に米受けの引き出しを検知した以降に研米した合計容量を操作・表示部に表示するよう構成した請求項１記載の研米器。
【発明の詳細な説明】
【０００１】
【発明の属する技術分野】
本発明は、米を研米して無洗米を作る研米器に関するものである。
【０００２】
【従来の技術】
従来、研米器は精米器と類似した構造となっており、図４に示すように、米櫃５１は精白前の玄米を貯めるもので、この米櫃５１内の玄米を精米部５２により精白し、精白した米を米受け５３に貯める。米受け５３には米受け５３内の精白した米の有無を検出する米検出センサ５４を設けている（例えば、特許文献１参照）。
【０００３】
上記構成において動作を説明する。まず、米櫃５１に精米する玄米を入れ、精米部５２に玄米をわたし、精米部５２は玄米を精白する。精米部５２により精白された米は米受け５３に貯められ、米検出センサ５４が米受け５３内に米があることを検出する。
【０００４】
ところで、精米終了後の米の貯まった米受け５３内の米を取り出さずに次回の精米運転を行うと、米受け５３が溢れる恐れがあるため、米検出センサ５４にて米受け５３内の米がなくなるのを検出するまでは次回の精米運転をしないようにしている。
【０００５】
以上の構成の精米器において、米櫃５１に研米する米を入れ、精米部５２の代わりに研米手段を設け、米受け５３には研米後の米を貯めるよう構成すると研米器として機能する。また、米検出センサ５４の代わりに米受け５３のセット状態を検出し、米を取り出したかどうかを判断するもので代用することもできる。
【０００６】
【特許文献１】
特開平１１−２０３５５５号公報（第３頁、図２）
【０００７】
【発明が解決しようとする課題】
しかしながら、このような従来の構成では、例えば、少量しか研米しなかったときには米受け５３の容量にかなりの余裕があるにもかかわらず、追加で研米を行うときには一度米受け５３内の米を取り出すという作業を行わなければならず、追加研米の作業が煩わしくなるという問題があった。
【０００８】
本発明は上記従来の課題を解決するもので、研米終了後の米受け内に余裕があるときは、米受け内の米を取り出さなくても引き続き研米運転を行うことができるようにすることを目的としている。
【０００９】
【課題を解決するための手段】
本発明は上記目的を達成するために、米を研米する研米手段により研米した米量をカウント手段によりカウントし、研米手段により研米した米を貯める米受けのセット状態を米受け検知手段により検知し、研米する米容量の設定を行う操作・表示部の動作を制御手段により制御するよう構成し、制御手段は、カウント手段にてカウントした前回の研米容量が米受けの最大容量に満たないとき、米受け検知手段により検知した米受けのセット状態に変化がなくても次回の研米開始を受け付けるよう構成したものである。
【００１０】
これにより、研米終了後の米受け内に余裕があるときは、米受け内の米を取り出さなくても引き続き研米運転を行うことができる。
【００１１】
【発明の実施の形態】
本発明の請求項１に記載の発明は、米を研米する研米手段と、前記研米手段により研米した米量をカウントするカウント手段と、前記研米手段により研米した米を貯める米受けと、前記米受けのセット状態を検知する米受け検知手段と、研米する米容量の設定を行う操作・表示部と、前記操作・表示部の動作を制御する制御手段とを備え、前記制御手段は、前記カウント手段にてカウントした前回の研米容量が前記米受けの最大容量に満たないとき、前記米受け検知手段により検知した前記米受けのセット状態に変化がなくても次回の研米開始を受け付けるよう構成したものであり、研米終了後の米受け内に余裕があるときは、米受けの引き出しなどにより米受け内の米を取り出さなくても引き続き研米運転を行うことができる。
【００１２】
請求項２に記載の発明は、上記請求項１に記載の発明において、制御手段は、カウント手段にてカウントした前回の研米容量と操作・表示部により設定した次回の研米容量との合計容量が米受けの最大容量を越えるとき、次回の研米開始を受け付けないよう前記操作・表示部の動作を制御するよう構成したものであり、米受けを引き出さずに連続で研米運転したときでも設定容量により米受け内の米が溢れ出すことがないようにすることができる。
【００１３】
請求項３に記載の発明は、上記請求項１または２に記載の発明において、制御手段は、カウント手段にてカウントした前回の研米容量と操作・表示部により設定した次回の研米容量との合計容量が米受けの最大容量を越えるとき、操作・表示部にて研米開始を受け付けるとエラー報知またはエラー表示を行うよう構成したものであり、米受けを引き出さずに連続で研米運転しようとしたときに米受け内の米が溢れ出す設定容量のときは使用者にその旨を知らせることができる。
【００１４】
請求項４に記載の発明は、上記請求項２または３に記載の発明において、制御手段は、カウント手段にてカウントした前回の研米容量と操作・表示部により設定した次回の研米容量との合計容量が米受けの最大容量を越えるとき、操作・表示部にて研米開始を受け付けると、前回の研米容量と次回の研米容量との合計容量が米受けの最大容量となるよう次回の研米容量の設定を変更するよう構成したものであり、米受けを引き出さずに連続で研米運転しようとしたときに誤って米受けが溢れる容量に設定したときは、自動的に米受けが溢れない容量に変更されるため、使用者の誤設定による米受けの米溢れを防ぐことができる。
【００１５】
請求項５に記載の発明は、上記請求項１に記載の発明において、制御手段は、カウント手段にてカウントした前回の研米容量を次回の研米容量の初期値として設定し、前回の研米容量と次回の研米容量との合計容量が米受けの最大容量を越えるとき、合計容量が米受けの最大容量となるように次回の研米容量の初期値を設定するよう構成したものであり、米受けを引き出さずに連続で研米運転するときに前回の研米容量と同容量であれば設定を変えることなく研米運転を開始でき、かつ、米受けが溢れ出す設定となるときには、研米容量の設定初期値を予め米受けが溢れ出さない研米容量に設定するので、使用者は米受けが溢れ出さない容量を把握でき、以後の研米容量設定も容易にできる。
【００１６】
請求項６に記載の発明は、上記請求項５に記載の発明において、制御手段は、米受け検知手段により米受けが引き出されたことを検知すると、次回の研米容量の設定を前回の研米容量に変更するよう構成したものであり、米受けを引き出したときに前回の研米容量が設定されることで、同容量の研米を連続で行う場合には毎回米受けを引き出していれば容量の設定を行わなくてもよいようにできる。
【００１７】
請求項７に記載の発明は、上記請求項６に記載の発明において、制御手段は、米受け検知手段により米受けが引き出されたことを検知する前に操作・表示部により次回の研米容量の設定がされていたとき、次回の研米容量の設定を前回の研米容量に変更しないよう構成したものであり、米受けを引き出す前に研米容量の設定操作がなされたときには、その操作を使用者の意志として尊重し、あえて設定した研米容量を米受け引き出し時に変更してしまわないようにできる。
【００１８】
請求項８に記載の発明は、上記請求項１に記載の発明において、制御手段は、カウント手段にてカウントした前回の研米容量と操作・表示部にて設定する次回の研米容量との合計容量が米受けの最大容量を超えないような範囲でのみ次回の研米容量を指定できるよう操作・表示部の動作を制御するよう構成したものであり、米受けを引き出さずに連続で研米運転するときに米受けが溢れる容量には設定できないようにすることができる。
【００１９】
請求項９に記載の発明は、上記請求項１に記載の発明において、制御手段は、研米終了時に米受け検知手段が最後に米受けの引き出しを検知した以降に研米した合計容量を操作・表示部に表示するよう構成したものであり、米受けを引き出さずに連続で研米運転したときの米受け内の米量を使用者が把握することができる。
【００２０】
【実施例】
以下、本発明の実施例について、図面を参照しながら説明する。
【００２１】
（実施例１）
図１に示すように、米櫃１は研米処理する米を入れるもので、この米櫃１内の米を研米手段２により研米し、研米した米を米受け３に貯めるようにしている。カウント手段７は研米手段２で研米された米量をカウントし、米受け検知手段５は米受け３が所定の位置にセットされているかを検知している。制御手段６は操作・表示部４の操作やカウント手段７および米受け検知手段５からの情報を受けて操作・表示部４を制御している。
【００２２】
操作・表示部４は、図２に示すように構成しており、研米容量を表示する容量表示部１１、研米容量を設定する容量設定スイッチ１２、運転を開始する開始スイッチ１３、研米器が運転中であることを表示する運転中ランプ１４などで構成している。
【００２３】
ここで、制御手段６は、カウント手段７にてカウントした前回の研米容量が米受け３の最大容量に満たないとき、米受け検知手段５により検知した米受け３のセット状態に変化がなくても次回の研米開始を受け付けるよう構成している。
【００２４】
上記構成において動作を説明する。まず、米櫃１に研米する米を入れ、容量設定スイッチ１２にて容量表示部１１の表示を研米したい容量に合わせる。ここでは、例として米受け３の容量を３．０カップ、最大設定容量を３．０カップとし、容量表示部１１の表示を１．０カップに設定したとする。
【００２５】
つぎに、開始スイッチ１３を押すと運転を開始し、運転中ランプ１４を点灯する。研米手段３は設定した１．０カップの米を計量し研米を行う。研米が終わると排米を行い、研米手段３で研米済みの米を米受け４に貯め、運転中ランプ１４を消灯し、研米運転を終了する。
【００２６】
研米終了後、米受け検知手段５にて米受け３が所定位置にセットされていないのを検知した後、米受け３が所定の位置に再セットされたのを検知すると、制御手段６は米受け３が引き出され、米受け３内の研米済みの米が取り出されたと判断し、開始スイッチ１３の操作による次回の研米運転を容量表示部１１における研米容量の設定値に関わらず受け付ける。
【００２７】
一方、研米終了後、米受け検知手段５にて米受け３が所定位置にセットされているのを検知しつづけている場合、次回の研米運転を容量表示部１１における研米容量の設定値に関わらず受け付け、研米運転を行うと、米受け３の米が溢れ出す恐れがある。そこで、研米手段２が研米した米量をカウントしたカウント手段７の情報を基に、現在の米受け３の空き容量を推測し、前回の研米容量と現在容量表示部１１に表示している研米容量との合計が米受け３の最大容量に満たないときは開始入力スイッチ１３により研米運転を受け付ける。
【００２８】
（表１）は米受け３内の研米済みカップ数に対する空き容量カップ数の対応例である。
【００２９】
【表１】
2004154667.tif 000003
【００３０】
（表１）は、米受け３の最大容量が３．０カップであり、研米容量の設定を０．５カップ毎とした場合を想定したものである。また、米受け３の空き容量を次回の研米可能容量とする。
【００３１】
以上の条件で、１．０カップの研米終了後、米受け３を引き出すことなく容量設定スイッチ１２を操作して容量表示部１１を１．５カップに設定し、開始入力スイッチ１３を操作すると、（表１）より米受け３の空き容量は２．０カップであるので、制御手段６は研米可能と判断し、研米運転を開始する。
【００３２】
これにより、カウント手段７にてカウントした前回の研米容量が米受け３の最大容量以下のとき、米受け検知手段５により検知した米受け３のセット状態に変化がなくても、次回の研米開始を受け付けるよう構成することで、研米終了後の米受け３内に余裕があるときは、米受け３の引き出しなどにより米受け３内の米を取り出さなくても引き続き研米運転を行うことができる。
【００３３】
なお、本実施例では、米受け３の容量と設定可能な最大容量を等しくしているが、相違していてもよく、また、米受け３の空き容量を次回の研米可能容量としているが、米受け３の空き容量と次回の研米可能容量とは異なるようにしてもよく、同様の作用効果を得ることができる。
【００３４】
（実施例２）
図１に示す制御手段６は、カウント手段７にてカウントした前回の研米容量と操作・表示部４により設定した次回の研米容量との合計容量が米受けの最大容量を越えるとき、次回の研米開始を受け付けないよう操作・表示部４の動作を制御するよう構成している。他の構成は上記実施例１と同じである。
【００３５】
上記構成において（表２）を参照しながら動作を説明する。なお、（表２）にて、ステップＳ１から順に時間が経過するものとする。
【００３６】
【表２】
2004154667.tif 000004
【００３７】
最初は米受け３には米が入っていないものとして、ステップＳ１では研米容量を１．０カップに設定し研米運転を行う。研米後に米受け３の引き出しを行わないと米受け３の空き容量は２．０カップとなる。つぎに、ステップＳ２では研米容量を２．０カップに設定するが、研米容量が米受け３の空き容量を超えていないため、制御手段６は研米運転の受け付けを許可する。研米後に米受け３の引き出しを行わないと米受け３の空き容量は０．０カップとなり、満杯状態である。
【００３８】
つぎに、ステップＳ３では研米容量を０．５カップに設定するが、米受け３の空き容量が０．０カップであるので、研米容量が米受け３の空き容量を超えており、制御手段６は研米運転の受け付けを許可しない。しかし、その後、米受け３を引き出しを行うと米受け３の空き容量は３．０カップとなり、つぎのステップＳ４では研米容量を０．５カップに設定すると、米受け３の空き容量を研米容量の設定が超えていないので、制御手段６は研米運転の受け付けを許可する。
【００３９】
これにより、米受け３を引き出さずに連続で研米運転したときでも、設定容量により米受け３内の米が溢れ出すことがないようにすることができる。
【００４０】
（実施例３）
図１に示す制御手段６は、カウント手段７にてカウントした前回の研米容量と操作・表示部４により設定した次回の研米容量との合計容量が米受け３の最大容量を越えるとき、操作・表示部４にて研米開始を受け付けると、図３に示す容量設定エラー表示部１５によりエラー表示を行うよう構成している。他の構成は上記実施例２と同じである。
【００４１】
上記構成において（表２）を参照しながら動作を説明する。ステップＳ１からステップＳ２までは上記実施例２と同様である。つぎに、ステップＳ３では研米容量を０．５カップに設定するが、米受け３の空き容量が０．０カップであるので、研米容量が米受け３の空き容量を超えており、制御手段６は研米運転の受け付けを許可せず、容量設定エラー表示部１５にエラー表示を行う。
【００４２】
同様に、ステップＳ５においても米受け３の空き容量が２．５カップのところ研米容量を３．０カップに設定して研米運転を行おうとすると、制御手段６は研米運転の受け付けを許可せず、容量設定エラー表示部１５にエラー表示を行う。
【００４３】
これにより、米受け３を引き出さずに連続で研米運転しようとしたときに米受け３内の米が溢れ出す設定容量のときは、使用者にその旨を知らせることができる。
【００４４】
（実施例４）
図１に示す制御手段６は、カウント手段７にてカウントした前回の研米容量と操作・表示部４により設定した次回の研米容量との合計容量が米受け３の最大容量を越えるとき、操作・表示部４にて研米開始を受け付けると、前回の研米容量と次回の研米容量との合計容量が米受け３の最大容量となるよう次回の研米容量の設定を変更するよう構成している。他の構成は上記実施例２と同じである。
【００４５】
上記構成において（表３）を参照しながら動作を説明する。なお、（表３）にて、ステップＳ１１から順に時間が経過するものとする。
【００４６】
【表３】
2004154667.tif 000005
【００４７】
最初は米受け３には米が入っていないものとして、ステップＳ１１では研米容量を１．０カップに設定し研米運転を行う。研米後に米受け３の引き出しを行わないと米受け３の空き容量は２．０カップとなる。つぎに、ステップＳ１２では研米容量を３．０カップに設定するが、研米容量が米受け３の空き容量を超えているため、制御手段６は研米容量の設定を米受け３の空き容量に等しい２．０カップに設定し研米運転を開始する。研米後に米受け３の引き出しを行うと米受け３の空き容量は３．０カップとなる。
【００４８】
つぎに、ステップＳ１３では研米容量を０．５カップに設定すると、米受け３の空き容量である３．０カップよりも小さいので、制御手段６は０．５カップの研米運転を開始する。同様に、ステップＳ１５では、米受け３の空き容量が０．０カップであり、研米容量の設定を３．０カップとして研米開始しようとすると、既に米受け３は満杯であり、最小容量であっても研米運転を行うことができないため、制御手段６は米受け３の引き出しが行われるまで研米運転の開始を受け付けない。
【００４９】
これにより、米受け３を引き出さずに連続で研米運転しようとしたときに、誤って米受け３が溢れる容量に設定したときは自動的に米受け３が溢れない容量に変更されるため、使用者の誤設定による米受け３の米溢れを防ぐことができる。
【００５０】
なお、本実施例では、研米容量が米受け３の空き容量を超えているときは研米容量の設定を米受け３の空き容量に等しい容量に設定し研米運転を開始するが、すぐには研米運転を開始せず、再度使用者に開始操作を促したり、表示や報知などにより研米容量の設定を変更したことを使用者に伝える機能を備えたりしてもよく、同様の効果が得られる。
【００５１】
（実施例５）
図１に示す制御手段６は、カウント手段７にてカウントした前回の研米容量を次回の研米容量の初期値として設定し、前回の研米容量と次回の研米容量との合計容量が米受け３の最大容量を越えるときは合計容量が米受け３の最大容量となるように次回の研米容量の初期値を設定するよう構成している。他の構成は上記実施例１と同じである。
【００５２】
上記構成において（表４）を参照しながら動作を説明する。なお、（表４）にて、ステップＳ２１から順に時間が経過するものとする。
【００５３】
【表４】
2004154667.tif 000006
【００５４】
最初は米受け３には米が入っていないものとし、前回の研米容量は１．０カップであったとすると、ステップＳ２１では研米容量の設定初期値が１．０カップとなり、容量設定を変更しないで研米運転を行う。研米後に米受け３の引き出しを行わないと米受け３の空き容量は２．０カップとなる。つぎに、ステップＳ２２では研米容量の設定初期値が前回の研米容量である１．０カップとなり、やはり容量設定を変更しないで研米運転を行う。研米後に米受け３の引き出しを行うと米受け３の空き容量は最大容量の３．０カップとなる。
【００５５】
つぎに、ステップＳ２３では研米容量の設定初期値が前回の研米容量である１．０カップとなるが、研米容量の設定を操作・表示部４の容量設定スイッチ１２の操作により２．５カップに変更し研米運転を行う。研米後に米受け３の引き出しを行わないと米受け３の空き容量は０．５カップとなる。つぎに、ステップＳ２４では前回の研米容量が２．５カップであったが、米受け３の空き容量である０．５カップを超えるので、研米容量の設定初期値は０．５に変更し、容量設定スイッチ１２の操作による研米容量設定の変更を行わずに研米運転を行う。
【００５６】
これにより、米受け３を引き出さずに連続で研米運転するときに、前回の研米容量と同容量であれば設定を変えることなく研米運転を開始でき、かつ、米受け３が溢れ出す設定となるときには、研米容量の設定初期値を予め米受け３が溢れ出さない研米容量に設定するので、使用者は米受け３が溢れ出さない容量を把握でき、以後の研米容量設定も容易にできる。
【００５７】
（実施例６）
図１に示す制御手段６は、米受け検知手段５により米受け３が引き出されたことを検知すると、次回の研米容量の設定を前回の研米容量に変更するよう構成している。他の構成は上記実施例５と同じである。
【００５８】
上記構成において（表５）を参照しながら動作を説明する。なお、（表５）にて、ステップＳ３１から順に時間が経過するものとする。
【００５９】
【表５】
2004154667.tif 000007
【００６０】
最初は米受け３には米が入っていないものとし、前回の研米容量は１．０カップであったとすると、ステップＳ３１では研米容量の設定初期値が１．０カップとなり、容量設定を変更しないで研米運転を行う。研米後に米受け３の引き出しを行わないと米受け３の空き容量は２．０カップとなる。
【００６１】
つぎに、ステップＳ３２では研米容量の設定初期値が前回の研米容量である１．０カップとなるが、研米容量の設定を操作・表示部４の容量設定スイッチ１２の操作により１．５カップに変更し研米運転を行う。研米後に米受け３の引き出しを行わないと米受け３の空き容量は０．５カップとなる。
【００６２】
つぎに、ステップＳ３３では前回の研米容量が２．５カップであったが、米受け３の空き容量である０．５カップを超えるので、研米容量の設定初期値を０．５に変更する。ここで、運転開始前に米受け３を引き出して再セットを行うと、前回の研米容量である１．５カップを研米容量の設定初期値とし、容量設定スイッチ１２による容量設定の変更を行わなければ、１．５カップの研米運転を行う。
【００６３】
同様に、ステップＳ３６では、前回の研米容量が２．０カップであるが、米受け３の空き容量が１．０カップのため、研米容量の設定初期値は１．０カップとしている。しかし、運転前に米受け３を引き出して再セットを行うと、前回の研米容量である２．０カップを研米容量の設定初期値とする。
【００６４】
これにより、米受け３を引き出したときに前回の研米容量が設定されることで、同容量の研米を連続で行う場合には、毎回米受け３を引き出していれば容量の設定を行わなくてもよいようにできる。
【００６５】
（実施例７）
図１に示す制御手段６は、米受け検知手段５により米受け３が引き出されたことを検知する前に操作・表示部４により次回の研米容量の設定がされていたときは、次回の研米容量の設定を前回の研米容量に変更しないよう構成している。他の構成は上記実施例６と同じである。
【００６６】
上記構成において（表６）を参照しながら動作を説明する。なお、（表６）にて、ステップＳ４１から順に時間が経過するものとする。
【００６７】
【表６】
2004154667.tif 000008
【００６８】
最初は米受け３には米が入っていないものとし、前回の研米容量は０．５カップであったとすると、ステップＳ４１では研米容量の設定初期値が０．５カップとなり、容量設定を変更しないで研米運転を行う。研米後に米受け３の引き出しを行わないと米受け３の空き容量は２．５カップとなる。
【００６９】
つぎに、ステップＳ４２では研米容量の設定初期値が前回の研米容量である０．５カップとなるが、研米容量の設定を操作・表示部４の容量設定スイッチ１２の操作により１．５カップに変更し研米運転を行うと、運転後の米受け３の空き容量は１．０カップとなる。
【００７０】
つぎに、ステップＳ４３では前回の研米容量が１．５カップであったが、米受け３の空き容量である１．０カップを超えるので、制御手段６は研米容量の設定初期値を１．０に変更する。ここで、つぎに、研米したい容量が０．５カップであるときには容量設定スイッチ１２の操作により研米容量を０．５カップに合わせるが、その後に米受け３を引き出して貯めた米を取り出したときに、前回の研米容量である１．５カップに自動的に変更してしまうと使用者の意図に反した制御となってしまう恐れがある。
【００７１】
このため、米受け３の引き出しよりも以前に容量設定スイッチ１２の操作がされたときには、米受け３を引き出しても次回の研米容量を前回の研米容量に変更しないようにする。したがって、容量表示部１１は容量設定スイッチ１２の操作による０．５カップの設定のままの表示となり、開始入力スイッチ１３の操作により０．５カップの研米運転を開始する。
【００７２】
一方、ステップＳ４５のように前回の研米容量が２．０カップで、米受け３の空き容量が１．０カップのとき、研米容量の設定初期値は１．０カップとなるが、容量設定スイッチ１２にて研米容量を変更しなければ、米受け３の引き出しにより研米容量の設定は前回の研米容量である２．０カップに自動的に変更する点は上記実施例６と同様である。
【００７３】
これにより、米受け３を引き出す前に研米容量の設定操作がなされたときには、その操作を使用者の意志として尊重し、あえて設定した研米容量を米受け引き出し時に変更してしまわないようにできる。
【００７４】
（実施例８）
図１に示す制御手段６は、カウント手段７にてカウントした前回の研米容量と操作・表示部４にて設定する次回の研米容量との合計容量が米受け３の最大容量を超えないような範囲でのみ次回の研米容量を指定できるよう操作・表示部４の動作を制御するよう構成している。他の構成は上記実施例１と同じである。
【００７５】
上記構成において動作を説明する。米受け３に米が入っていない状態で容量設定スイッチ１２にて研米容量を１．０カップに設定し、開始入力スイッチ１３にて研米運転を開始すると、研米運転終了後、米受け３には１．０カップの米が貯まり、米受け３の空き容量は２．０カップとなるので、米受け３が溢れない設定可能最大容量は米受け３の空き容量に等しく２．０カップとなる。
【００７６】
したがって、研米運転終了後、米受け３を引き出さないで次回の研米容量を設定するために容量設定スイッチ１２を操作すると、制御手段６は０．５カップから２．０カップまでの容量に限り容量表示部１１に表示できるように制御する。例えば、研米運転終了後の研米容量の表示初期値が１．０カップで、容量設定が０．５カップ刻みであれば、容量設定スイッチ１２の操作により、１．５カップ、２．０カップ、０．５カップ、１．０カップの順に容量表示部１１に表示される。
【００７７】
これにより、米受け３を引き出さずに連続で研米運転するときに米受け３が溢れる容量には設定できないようにすることができる。
【００７８】
（実施例９）
図１に示す制御手段６は、研米終了時に米受け検知手段５が最後に米受け３の引き出しを検知した以降に研米した合計容量を操作・表示部４に表示するよう構成している。その他の構成は上記実施例１と同じである。
【００７９】
上記構成において（表７）を参照しながら動作を説明する。なお、（表７）にて、ステップＳ５１から順に時間が経過するものとする。
【００８０】
【表７】
2004154667.tif 000009
【００８１】
最初は米受け３には米が入っていないものとすると、ステップＳ５１では研米容量０．５カップで研米運転を行い、研米運転後、容量表示部１１に０．５の表示を行う。米受け３を引き出さずにステップＳ５２にて研米容量１．０カップの研米運転を行うと、米受け３には合計１．５カップの米を貯めているので、容量表示部１１に１．５の表示を行う。
【００８２】
さらに、ステップＳ５３では１．５カップの研米運転を行うと、米受け３には合計３．０カップの米を貯めているので、容量表示部１１に３．０の表示を行う。ここで、米受け３を引き出して米を取り出すと米受け３内に米はなくなり、ステップＳ５４にて２．０カップの研米運転を行った後、容量表示部には２．０の表示を行う。
【００８３】
これにより、米受け３を引き出さずに連続で研米運転したときの米受け３内の米量を使用者が把握することができるため、連続で研米運転を行った後に米受け３内にどれだけの米が貯まっているかが分からなくなることがないようにできる。
【００８４】
なお、上記各実施例において、研米器を例に挙げて説明したが、この発明はそのまま精米器における動作や、研米機能付きの炊飯器における動作にも当てはめられるものである。また、米受けのセット状態の検知により米受け内の米が取り出されたかを判断しているが、代わりに、米センサや重量センサなどで米が取り出されたかを判断してもよく、同様の効果が期待できる。
【００８５】
【発明の効果】
以上のように本発明の請求項１に記載の発明によれば、米を研米する研米手段により研米した米量をカウント手段によりカウントし、研米手段により研米した米を貯める米受けのセット状態を米受け検知手段により検知し、研米する米容量の設定を行う操作・表示部の動作を制御手段により制御するよう構成し、制御手段は、カウント手段にてカウントした前回の研米容量が米受けの最大容量に満たないとき、米受け検知手段により検知した米受けのセット状態に変化がなくても次回の研米開始を受け付けるよう構成したから、研米終了後の米受け内に余裕があるときは、米受けの引き出しなどにより米受け内の米を取り出さなくても引き続き研米運転を行うことができる。
【００８６】
また、請求項２に記載の発明によれば、制御手段は、カウント手段にてカウントした前回の研米容量と操作・表示部により設定した次回の研米容量との合計容量が米受けの最大容量を越えるとき、次回の研米開始を受け付けないよう操作・表示部の動作を制御するよう構成したから、米受けを引き出さずに連続で研米運転したときでも設定容量により米受け内の米が溢れ出すことがないようにすることができる。
【００８７】
また、請求項３に記載の発明によれば、制御手段は、カウント手段にてカウントした前回の研米容量と操作・表示部により設定した次回の研米容量との合計容量が米受けの最大容量を越えるとき、操作・表示部にて研米開始を受け付けるとエラー報知またはエラー表示を行うよう構成したから、米受けを引き出さずに連続で研米運転しようとしたときに米受け内の米が溢れ出す設定容量のときは使用者にその旨を知らせることができる。
【００８８】
また、請求項４に記載の発明によれば、制御手段は、カウント手段にてカウントした前回の研米容量と操作・表示部により設定した次回の研米容量との合計容量が米受けの最大容量を越えるとき、操作・表示部にて研米開始を受け付けると、前回の研米容量と次回の研米容量との合計容量が米受けの最大容量となるよう次回の研米容量の設定を変更するよう構成したから、米受けを引き出さずに連続で研米運転しようとしたときに誤って米受けが溢れる容量に設定したときは、自動的に米受けが溢れない容量に変更でき、使用者の誤設定による米受けの米溢れを防ぐことができる。
【００８９】
また、請求項５に記載の発明によれば、制御手段は、カウント手段にてカウントした前回の研米容量を次回の研米容量の初期値として設定し、前回の研米容量と次回の研米容量との合計容量が米受けの最大容量を越えるとき、合計容量が米受けの最大容量となるように次回の研米容量の初期値を設定するよう構成したから、米受けを引き出さずに連続で研米運転するときに前回の研米容量と同容量であれば設定を変えることなく研米運転を開始でき、かつ、米受けが溢れ出す設定となるときには、研米容量の設定初期値を予め米受けが溢れ出さない研米容量に設定でき、使用者は米受けが溢れ出さない容量を把握でき、以後の研米容量設定も容易にできる。
【００９０】
また、請求項６に記載の発明によれば、制御手段は、米受け検知手段により米受けが引き出されたことを検知すると、次回の研米容量の設定を前回の研米容量に変更するよう構成したから、同容量の研米を連続で行う場合には毎回米受けを引き出していれば容量の設定を行わなくてもよいようにできる。
【００９１】
また、請求項７に記載の発明によれば、制御手段は、米受け検知手段により米受けが引き出されたことを検知する前に操作・表示部により次回の研米容量の設定がされていたとき、次回の研米容量の設定を前回の研米容量に変更しないよう構成したから、米受けを引き出す前に研米容量の設定操作がなされたときには、その操作を使用者の意志として尊重し、あえて設定した研米容量を米受け引き出し時に変更してしまわないようにできる。
【００９２】
また、請求項８に記載の発明によれば、制御手段は、カウント手段にてカウントした前回の研米容量と操作・表示部にて設定する次回の研米容量との合計容量が米受けの最大容量を超えないような範囲でのみ次回の研米容量を指定できるよう操作・表示部の動作を制御するよう構成したから、米受けを引き出さずに連続で研米運転するときに米受けが溢れる容量には設定できないようにすることができる。
【００９３】
また、請求項９に記載の発明によれば、制御手段は、研米終了時に米受け検知手段が最後に米受けの引き出しを検知した以降に研米した合計容量を操作・表示部に表示するよう構成したから、米受けを引き出さずに連続で研米運転したときの米受け内の米量を使用者が把握することができ、連続で研米運転を行った後に米受け内にどれだけの米が貯まっているかが分からなくなることがないようにできる。
【図面の簡単な説明】
【図１】本発明の第１の実施例の研米器のブロック図
【図２】同研米器の操作・表示部の正面図
【図３】本発明の第３の実施例の研米器の操作・表示部の正面図
【図４】従来の研米器のブロック図
【符号の説明】
２  研米手段
３  米受け
４  操作・表示部
５  米受け検知手段
６  制御手段
７  カウント手段
【図１】
2004154667.tif 000010
【図２】
2004154667.tif 000011
【図３】
2004154667.tif 000012
【図４】
2004154667.tif 000013